(57)【特許請求の範囲】
【請求項１】
導電性の取付対象部材に取り付けるインシュレータと、該インシュレータに保持した複数の導電性コンタクトとを含み、前記コンタクトの少なくとも一つがアース接続に用いられるアース接続用コンタクトであり、前記コンタクトは、前記インシュレータに保持した保持部と、該保持部の一端から前記インシュレータの一軸に対して平行に一方へ延びている接触部と、前記保持部のもう一方端から前記インシュレータの外へ延びている端子部とを有するコネクタにおいて、
前記インシュレータは、前記コンタクトを保持したインシュレータ本体と、該インシュレータ本体を前記取付対象部材の孔を通して位置させて前記取付対象部材に取り付けるよう前記インシュレータ本体の外周面から該外周面上へ突出している取付部とを有し、さらに前記インシュレータ本体に設けた導電性のフード部材を有し、該フード部材は、前記端子部側における前記インシュレータ本体の前記外周面を覆い前記インシュレータ本体に保持したフード部と、前記取付対象部材及び前記取付対象部材に対向する前記取付部間で狭持するよう前記フード部から前記一軸を直交する径方向へ突出しているフード取付部と、前記フード部から前記端子部側へ延びて前記アース接続用コンタクトの前記端子部に接続した突出部とを有し、前記インシュレータには、前記突出部をガイドし前記フード部材を前記インシュレータ本体の所定位置に配置するためのガイド部が形成されており、前記フード部と前記インシュレータ本体の前記外周面との間には、前記フード部を前記インシュレータ本体に設けた状態で前記フード部と前記インシュレータ本体の前記外周面とによって保持されて前記インシュレータ本体の前記外周面との間をシールするシール部材が介在されていることを特徴とするコネクタ。
【請求項２】
請求項１記載のコネクタにおいて、前記端子部は、前記端子部から前記保持部側へ形成した中空部を有し、該中空部へ前記突出部が挿入されており、前記端子部と前記突出部とが半田によって接続されていることを特徴とするコネクタ。
【発明の詳細な説明】
【０００１】
【発明の属する技術分野】
本発明は、機器に取り付けるコネクタに属し、特に機器の一部とアース接続用のコンタクトとの接続を行うコネクタに属する。
【０００２】
【従来の技術】
従来、この種のコネクタでは、金属材料によって作られた筒状のシェル内にインシュレータを介して導電性のコンタクトを組み込んだ構成のものが、特許第３０５４９２７号公報に開示されている。しかし、このようなコネクタは、金属製のシェルとインシュレータとの組み合わせによって構成されており、シェルをアース接続のための一部品として用いているので組立作業が複雑となっており、さらに組立作業の簡素化や金属製のシェルに変わる軽量な構成が要望されている。それ故に、以下の先行技術に見られるような提案がなされている。
【０００３】
図４は、先行技術におけるコネクタを示している。図４を参照して、コネクタ１０１は、金属製のシェルよりも軽量な樹脂材料をモールド成形することによって作られているインシュレータ１０３と、このインシュレータ１０３に保持されている複数の導電性コンタクト１０５とを備えている。
【０００４】
インシュレータ１０３は、複数のコンタクト１０５が保持されているインシュレータ本体１０３ａと、インシュレータ本体１０３ａの外周面上へ突出している取付部１０３ｂとを有している。取付部１０３ｂは、インシュレータ本体１０３ａの一軸Ｘを直交する径方向へ延びており、フランジ形状を呈している。
【０００５】
コンタクト１０５は、インシュレータ本体１０３ａに保持される保持部１０５ａと、保持部１０５ａの一端からインシュレータ本体１０３ａの一軸Ｘに対して平行にかつ一方へ延びている接触部１０５ｂと、保持部１０５ａのもう一方端からインシュレータ本体１０３ａの外へ延びている端子部１０５ｃとを有している。
【０００６】
なお、コンタクト１０５の一つは、アース接続に用いられるアース接続用コンタクトであり、その他コンタクト１０５の複数は、信号を送受する信号用のコンタクトである。ここで、複数のコンタクト１０５のうち、特にアース接続用コンタクトを説明するときには、参照符号を１０５′として説明する。
【０００７】
インシュレータ１０３の取付部１０３ｂは、取付対象部材１１０に取り付けられるものである。取付対象部材１１０は、具体的には電子機器のような機器を構成する筐体の一部であり、例えば筐体の外板を構成している金属性のパネルである。取付対象部材１１０には、インシュレータ本体１０３ａを一軸Ｘ方向で挿通して位置させるための孔１１０ａが開けられている。取付対象部材１１０にインシュレータ本体１０３ａが挿通して位置している状態では、取付部１０３ｂが取付対象部材１１０の第１の面１１０ｂに当接している。この状態で、取付対象部材１１０と取付部１０３ｂとは、図示しないネジによってネジ締め固定されている。
【０００８】
取付対象部材１１０の第１の面１１０ｂよりも上方には、インシュレータ本体１０３ａの嵌合部１０３ｇが一軸Ｘ方向へ突出した状態で位置している。また、取付対象部材１１０の第１の面１１０ｂとは反対側となる第２の面１１０ｃ上の一軸Ｘ方向には、孔１１０ａを通してインシュレータ本体１０３ａの端子部１０５ｃ側が突出している。
【０００９】
嵌合部１０３ｇは、インシュレータ本体１０３ａの一軸Ｘ方向の先端面からコンタクト１０５の保持部１０５ａ側へ形成した大きな溝であり、この溝内にコンタクト１０５の接触部１０５ａが一軸Ｘに対して平行に位置している。端子部１０５ｃは、孔１１０ａから一軸Ｘ方向で第２の面１１０ｃよりも上方へ突出しているインシュレータ本体１０３ａの端面から外へ突出している。
【００１０】
嵌合部１０３ｇには、図示しない相手コネクタの相手嵌合部が嵌合する。この際、相手嵌合部に設けられている導電性の相手コンタクトのそれぞれが、コンタクト１０５に一対一に接触する。相手コンタクトの一つは、アース接続用相手コンタクトであり、このアース接続用相手コンタクトがアース接続用コンタクト１０５′に接触する。
【００１１】
コネクタ１０１と相手コンタクトとをアース接続するには、アース接続用コンタクト１０５′の端子部１０５ｃと取付対象部材１１０とを接続することによってアース接続を行っている。すなわち、アース接続用コンタクト１０５′の端子部１０５ｃと取付対象部材１１０とは、ケーブル１１２を介して相互に接続することによってアース接続用コンタクト１０５′の端子部１０５ｃと取付対象部材１１０とのアース接続を行っている。
【００１２】
【発明が解決しようとする課題】
しかしながら、ケーブル１１２を端子部１０５ｃに接続する作業では、アース接続用コンタクト１０５′の端子部１０５ｃとケーブル１１２を接続するとともに、取付対象部材１１０にケーブル１１２を接続するので、接続作業に手間がかるという問題がある。
【００１３】
また、ケーブル１１２を接続する作業では、アース接続用コンタクト１０５′の端子部１０５ｃとケーブル１１２とを接続する際に、信号用のコンタクト１０５とアース接続用コンタクト１０５′とが同じ形状のものであるので、端子部１０５ｃで見分けが付かないことから、信号用のコンタクト１０５にケーブル１１２を誤まって接続する恐れが生じるという問題がある。
【００１４】
また、先行技術におけるコネクタ１０１では、端子部１０５ｃ側から取付対象部材１１０の第１の面１１０ａ側へ水が浸入する恐れがある。
【００１５】
それ故に、本発明の課題は、複雑な部品構成にならず、簡単な作業によって確実にアース接続ができ、軽量なコネクタを提供することにある。
【００１６】
また、本発明の他の課題は、防水性に優れたコネクタを提供することにある。
【００１７】
【課題を解決するための手段】
本発明によれば、導電性の取付対象部材に取り付けるインシュレータと、該インシュレータに保持した複数の導電性コンタクトとを含み、前記コンタクトの少なくとも一つがアース接続に用いられるアース接続用コンタクトであり、前記コンタクトは、前記インシュレータに保持した保持部と、該保持部の一端から前記インシュレータの一軸に対して平行に一方へ延びている接触部と、前記保持部のもう一方端から前記インシュレータの外へ延びている端子部とを有するコネクタにおいて、
前記インシュレータは、前記コンタクトを保持したインシュレータ本体と、該インシュレータ本体を前記取付対象部材の孔を通して位置させて前記取付対象部材に取り付けるよう前記インシュレータ本体の外周面から該外周面上へ突出している取付部とを有し、さらに前記インシュレータ本体に設けた導電性のフード部材を有し、該フード部材は、前記端子部側における前記インシュレータ本体の前記外周面を覆い前記インシュレータ本体に保持したフード部と、前記取付対象部材及び前記取付対象部材に対向する前記取付部間で狭持するよう前記フード部から前記一軸を直交する径方向へ突出しているフード取付部と、前記フード部から前記端子部側へ延びて前記アース接続用コンタクトの前記端子部に接続した突出部とを有し、前記インシュレータには、前記突出部をガイドし前記フード部材を前記インシュレータ本体の所定位置に配置するためのガイド部が形成されており、前記フード部と前記インシュレータ本体の前記外周面との間には、前記フード部を前記インシュレータ本体に設けた状態で前記フード部と前記インシュレータ本体の前記外周面とによって保持されて前記インシュレータ本体の前記外周面との間をシールするシール部材が介在されていることを特徴とするコネクタが得られる。
【００１８】
【作用】
コネクタは、アース接続用コンタクトの端子部から取付対象部材に電気的な接続を要する場合、コネクタの外殻を構成する部材がインシュレータであることから、アース接続用コンタクトの端子部と取付対象部材とを接続するためにフード部材を利用する。フード部材の突出部は、アース接続用コンタクトの端子部に半田によって接続される。
【００１９】
コネクタは、アース接続用コンタクトの端子部から取付対象部材へアース接続を行う構成として、アース接続用コンタクトの端子部からフード部材の突出部、フード部材、フード取付部、取付対象部材へと導通される。
【００２０】
【発明の実施の形態】
以下、本発明に係るコネクタの一実施の形態例を説明する。図１及び図２は、一実施の形態例におけるコネクタを示している。図１及び図２を参照して、コネクタ１は、樹脂材料をモールド成形することによって作られているインシュレータ３と、このインシュレータ３に保持されている複数の導電性コンタクト５と、インシュレータ３に設けられている導電性のフード部材７とを備えている。
【００２１】
インシュレータ３は、複数のコンタクト５が保持されているインシュレータ本体３ａと、インシュレータ本体３ａの外周面から外周面上へ突出している取付部３ｂとを有している。取付部３ｂは、インシュレータ本体３ａの一軸Ｘを直交する径方向へ延びており、これがフランジ形状を呈している。
【００２２】
コンタクト５は、インシュレータ本体３ａに保持される保持部５ａと、保持部５ａの一端からインシュレータ本体３ａの一軸Ｘに対して平行にかつ一方へ延びている接触部５ｂと、保持部５ａのもう一方端からインシュレータ本体３ａの外へ延びている端子部５ｃとを有している。
【００２３】
なお、コンタクト５の一つは、アース接続に用いられるアース接続用コンタクトであり、その他のコンタクト５は、信号を送受する信号用コンタクトである。ここで、複数のコンタクト５のうち、特に、アース接続用コンタクトを説明するときには、参照符号を５′として説明する。
【００２４】
フード部材７は、端子部５ｃ側におけるインシュレータ本体３ａ外周面を覆いインシュレータ本体３ａに保持したキャップ形状のフード部７ａと、フード部７ａの開口端から一軸Ｘを直交する径方向に突出しているフード取付部７ｂと、フード部７ａの底部７ｄから底部７ｄの上方へ突出している突出部７ｆとを有している。
【００２５】
具体的には、フード部材７は、薄い金属板をプレスによって打ち抜き、曲げ加工を施すことによって作ることができる。この際、フード部７ａの底部７ｄには、打ち抜き加工によって開口部７ｍを形成しておき、さらに開口部７ｍを形成する加工時に、最終的に突出部７ｆの形状となるように切り欠き部分を形成する。そして、この切り欠き部分をフード部７ａの内側、すなわち、一軸Ｘ方向へ立設けるように底部７ｄよりも上方へ曲げ起こすことによって突出部７ｆを形成する。
【００２６】
底部７ｄからの突出部７ｆの高さ寸法は、インシュレータ本体３ａの取付部３ｂにフード取付部７ｂを当接したときに、アース接続用コンタクト５′の端子部５ｃに接触するように定める。アース接続用コンタクト５′の端子部５ｃには、中空部５ｎが形成されており、この中空部５ｎへ突出部７ｆが挿入されている。なお、信号用のコンタクト５の端子部５ｃにもアース接続用コンタクト５′の端子部５ｃと同様な中空部５ｎが形成されている。突出部７ｆとアース接続用コンタクト５′の端子部５ｃとは、こららが中空部５ｎへ半田８を流し込むことによって接続されている。同様に、コンタクト５の端子部５ｃは中空部５ｎへ半田８を流し込むことによって図示しないケーブルが接続される。
【００２７】
さらに、フード部７ａとインシュレータ本体３ａの端子部側３ｃの外周面との間には、リング形状のシール部材９が介在されてシールが行われている。なお、インシュレータ本体３ａの端子部５ｃ側の端面には、この端面の中央部から一軸Ｘ方向へ突出しているガイド部３ｋが形成されている。ガイド部３ｋは、インシュレータ本体３ａの取付部３ｂにフード取付部７ｂを当接するときに、フード取付部７ｂが正しい位置関係をもってガイドされてインシュレータ本体３ａの所定位置に組み立てられる。この際、アース接続用コンタクト５´の端子部５ｃの中空部５ｎには、フード部材７の突出部７ｆが正確に入り込ませる。なお、ガイド部３ｋには、突出部７ｆのみをガイドするガイド溝を形成すると、突出部７ｆを正確に入り込ませることができる。
【００２８】
なお、インシュレータ本体３ａの取付部３ｂにフード取付部７ｂを当接したときには、ガイド部３ｋがフード部材７の開口部７ｍを貫通している状態で位置する。また、フード部材７をインシュレータ本体３ａに対して仮に誤った位置で取り付けようとした場合には、ガイド部３ｋの端面にフード部材７の突出部７ｆが当るようにすれば、以上の組み立て作業を阻止するようにすることが可能となる。
【００２９】
インシュレータ３の取付部３ｂは、図３に示す取付対象部材１０に取り付けられるものである。取付対象部材１０は、具体的には電子機器のような機器を構成する筐体の一部であり、例えば金属性のパネルである。取付対象部材１０には、インシュレータ本体３ａを一軸Ｘ方向で挿通して位置させる孔１０ａが開けられている。取付対象部材１０にインシュレータ本体３ａが孔１０ａに挿通して位置している状態では、取付部３ｂが取付対象部材１０の第１の面１０ｂに当接している。この状態で、取付対象部材１０と取付部３ｂとは、フード部材７のフード取付部７ｂを狭持するように図示しないネジによってネジ締め固定される。
【００３０】
取付対象部材１０の第１の面１０ｂよりも上方には、インシュレータ本体３ａの嵌合部３ｇが一軸Ｘ方向へ突出した状態で位置している。また、取付対象部材１０の第１の面１０ｂとは反対側となる第２の面１０ｃ上の一軸Ｘ方向には、孔１０ａを通してインシュレータ本体３ａの端子部５ｃ側が突出している。
【００３１】
嵌合部３ｇは、インシュレータ本体３ａの一軸Ｘ方向の先端面からコンタクト５の保持部５ａ側へ形成した大きな溝であり、この溝内にコンタクト５の接触部５ａが一軸Ｘに対して平行に位置している。端子部５ｃは、孔１０ａから一軸Ｘ方向で第２の面１０ｃよりも上方へ突出しているインシュレータ本体３ａの端面から外へ突出している。
【００３２】
嵌合部３ｇには、図示しない相手コネクタの相手嵌合部が嵌合する。この際、相手嵌合部に設けられている導電性の相手コンタクトのそれぞれが、コンタクト５に一対一に接触する。相手コンタクトの一つは、アース接続用相手コンタクトであり、このアース接続用相手コンタクトがアース接続用コンタクト５′に接触する。
【００３３】
コネクタ１と相手コンタクトとをアース接続するには、アース接続用コンタクト５′の端子部５ｃと取付対象部材１０とを接続することによってアース接続を行っている。すなわち、アース接続用コンタクト５′の端子部５ｃと取付対象部材１０とは、取付対象部材１０及び取付部３ｂ間で狭持されて接続させることによってアース接続用コンタクト５′の端子部５ｃと取付対象部材１０とのアース接続を行っている。
【００３４】
また、シール部材９は、フード部７ａとインシュレータ本体３ａの端子部側３ｃの外周面との間に侵入する水が取付対象部材１０の第１の面１０ｂ側への侵入を防いでいる。なお、端子部５ｃと保持部５ａの接続部分にもシール部材９とは別なシール部材１３によってシールされているので、第１の面１０ｂ側への侵入を防いでいる。
【００３５】
【発明の効果】
以上説明したように、本発明のコネクタによれば、フード部材がアース接続用コンタクトの端子部と取付対象部材とをアース接続しているので、簡単な組み立て構成によってアースの導通が確保され、複雑な部品構成にならず、簡単な作業によって確実にアース接続ができる。
【００３６】
また、コネクタは、金属製のシェルを採用することなく、金属製のシェルよりも軽量な樹脂材料からなるインシュレータを採用することによって、機器の軽量化を図ることができる。
【００３７】
また、本発明によれば、フード部材とインシュレータ本体との間にシール部材を介在したので防水性に優れたコネクタを提供できる。
【００３８】
さらに、組立作業者は、コネクタを取付け対象部材に取り付けるだけでアース接続が確保でき、アース接続においてアース接続用コンタクトとは異なる信号用のコンタクトに誤ってケーブルを接続するような誤接続を防止できる。
【図面の簡単な説明】
【図１】本発明に係るコネクタの一実施の形態例を示す断面図である。
【図２】図１に示したコネクタを分解し、一部の部材を断面して示した側面図である。
【図３】図１に示したコネクタを取付対象部材に取り付けた状態を示す断面図である。
【図４】先行技術におけるコネクタを示す断面図である。
【符号の説明】
１，１０１    コネクタ
３，１０３    インシュレータ
３ａ，１０３ａ    インシュレータ本体
３ｂ，１０３ｂ    取付部
５    コンタクト
５′，１０５′    アース接続用コンタクト
５ｃ，１０５ｃ    端子部
７    フード部材
７ａ    フード部
７ｂ    フード取付部
７ｆ    突出部
９    シール部材
１０，１１０    取付対象部材
１０ｂ，１１０ｂ    第１の面
１０ｃ，１１０ｃ    第２の面
１１２    ケーブル
【図１】
0003554862.tif 000002
【図２】
0003554862.tif 000003
【図３】
0003554862.tif 000004
【図４】
0003554862.tif 000005